(57)【要約】【課題】給気により取り込まれた空気が、空気熱交換器と、室内の熱交換に使用された冷却または加熱された熱媒体を用いた放熱器と、で熱交換される場合に、放熱器での結露を抑制することができる換気空調システムを得ること。【解決手段】三方弁２５は、熱媒体の経路を、熱源機１１と第１放熱器１２との間で熱媒体を循環させる第１経路７１、および熱源機１１、第１放熱器１２および第２放熱器１３の間で熱媒体を循環させる第２経路７２のうちいずれか一方の経路に切り替える。露点温度検知部４１は、空気熱交換器３３を通過した空気の露点温度を検知し、第２放熱器入口温度検知部４２は、第２経路７２における第２放熱器１３の入口の温度である第２放熱器入口温度を検知する。三方弁制御部４５は、第２経路７２を熱媒体が循環しているときに、露点温度と第２放熱器入口温度とを比較して、三方弁２５の切り替えを制御する。【選択図】図１
2020193786.tif 000002
【特許請求の範囲】
【請求項１】
建物の外部の屋外空気と、前記建物の内部の屋内空気とを熱交換する空気熱交換器を有する換気装置と、
熱媒体を生成し、送出する熱源機と、
前記熱媒体の熱を用いて前記建物の内部の空調を行う第１放熱器と、
前記空気熱交換器を通過した後の前記屋外空気を、前記熱媒体の熱を用いて冷却または加熱する第２放熱器と、
前記熱媒体の経路を、前記熱源機と前記第１放熱器との間で前記熱媒体を循環させる第１経路、および前記熱源機、前記第１放熱器および前記第２放熱器の間で前記熱媒体を循環させる第２経路のうちいずれか一方の経路に切り替える三方弁と、
前記空気熱交換器を通過した空気の露点温度を検知する露点温度検知部と、
前記第２経路における前記第２放熱器の入口の温度である第２放熱器入口温度を検知する第２放熱器入口温度検知部と、
前記第２経路を前記熱媒体が循環しているときに、前記露点温度と前記第２放熱器入口温度とを比較して、前記三方弁の切り替えを制御する三方弁制御部と、
を備えることを特徴とする換気空調システム。
【請求項２】
前記三方弁制御部は、前記第２放熱器入口温度が前記露点温度よりも低い場合に、前記熱媒体の経路を前記第１経路に切り替えることを特徴とする請求項１に記載の換気空調システム。
【請求項３】
前記三方弁の入口の温度である三方弁入口温度を検知する三方弁入口温度検知部をさらに備え、
前記三方弁制御部は、前記第１経路を前記熱媒体が循環しているときに、前記三方弁入口温度が前記露点温度よりも高い場合に、前記熱媒体の経路を前記第２経路に切り替えることを特徴とする請求項２に記載の換気空調システム。
【請求項４】
前記空気熱交換器を通過した前記屋外空気を前記建物の内部に吹出す室内吹出口をさらに備え、
前記第２放熱器は、前記空気熱交換器と前記室内吹出口との間の風路に設けられることを特徴とする請求項１から３のいずれか１つに記載の換気空調システム。
【請求項５】
前記露点温度検知部は、前記空気熱交換器と前記第２放熱器との間の風路に設けられ、
前記第２放熱器入口温度検知部は、前記三方弁と前記第２放熱器との間の前記第２経路内に設けられることを特徴とする請求項１から４のいずれか１つに記載の換気空調システム。
【請求項６】
前記三方弁入口温度検知部は、前記第１放熱器と前記三方弁との間の前記第１経路および前記第２経路内に設けられることを特徴とする請求項３に記載の換気空調システム。
【請求項７】
前記換気装置の運転状態を検知する運転検知部をさらに備え、
前記三方弁制御部は、前記換気装置が運転状態にある場合に、前記三方弁の切り替えを行うことを特徴とする請求項１から６のいずれか１つに記載の換気空調システム。
【請求項８】
前記三方弁制御部は、前記換気装置が運転を停止した場合に、前記熱媒体の経路を前記第１経路に切り替えることを特徴とする請求項７に記載の換気空調システム。
【発明の詳細な説明】
【技術分野】
【０００１】
本発明は、熱交換器を用いた換気装置と、放熱器に冷水または温水を流して空調を行う空調システムと、を組み合わせた換気空調システムに関する。
【背景技術】
【０００２】
特許文献１には、空気熱交換器を用いた換気部と、温水を放熱器に循環させる循環部と、を備える暖房システムが開示されている。換気部は、室内空気および室外空気の熱交換を行う空気熱交換器と、室外吸込口から空気熱交換器を介して室内吹出口に至る給気風路と、室内吸込口から空気熱交換器を介して室外吹出口に至る排気風路と、を備える。循環部は、温水を生成し送出する熱源機と、温水の熱を室内に放出し暖房する第１放熱器と、第１放熱器で熱を放出し低温になった温水を用いて空気熱交換器を通過した後の給気を加熱する第２放熱器と、熱源機、第１放熱器および第２放熱器の間を接続し温水を循環させる温水循環回路と、を備える。特許文献１に記載の暖房システムでは、室外吸込口から取り込まれて空気熱交換器で熱交換された空気が、さらに第２放熱器で熱交換されて室内へと導入されるので、換気による室内の温度の低下が防止される。
【先行技術文献】
【特許文献】
【０００３】
【特許文献１】特許第４４１９４７５号公報
【発明の概要】
【発明が解決しようとする課題】
【０００４】
ところで、一般的な換気空調システムでは、ヒートポンプ式熱源機のような温水および冷水を生成可能な熱源機が用いられる。特許文献１に開示されているのは暖房システムであるが、仮にこの暖房システムで熱源機を冷房運転すると、第２放熱器に冷水が供給される。そのため、第２放熱器の温度が給気により取り込まれた空気の露点温度以下となったときに結露が発生し、結露水が天井または床に滴下するという問題点があった。
【０００５】
本発明は、上記に鑑みてなされたものであって、給気により取り込まれた空気が、空気熱交換器と、室内の熱交換に使用された冷却または加熱された熱媒体を用いた放熱器と、で熱交換される場合に、放熱器での結露を抑制することができる換気空調システムを得ることを目的とする。
【課題を解決するための手段】
【０００６】
上述した課題を解決し、目的を達成するために、本発明の換気空調システムは、換気装置と、熱源機と、第１放熱器と、第２放熱器と、三方弁と、露点温度検知部と、第２放熱器入口温度検知部と、三方弁制御部と、を備える。換気装置は、建物の外部の屋外空気と、建物の内部の屋内空気とを熱交換する空気熱交換器を有する。熱源機は、熱媒体を生成し、送出する。第１放熱器は、熱媒体の熱を用いて建物の内部の空調を行う。第２放熱器は、空気熱交換器を通過した後の屋外空気を、熱媒体の熱を用いて冷却または加熱する。三方弁は、熱媒体の経路を、熱源機と第１放熱器との間で熱媒体を循環させる第１経路、および熱源機、第１放熱器および第２放熱器の間で熱媒体を循環させる第２経路のうちいずれか一方の経路に切り替える。露点温度検知部は、空気熱交換器を通過した空気の露点温度を検知する。第２放熱器入口温度検知部は、第２経路における第２放熱器の入口の温度である第２放熱器入口温度を検知する。三方弁制御部は、第２経路を熱媒体が循環しているときに、露点温度と第２放熱器入口温度とを比較して、三方弁の切り替えを制御する。
【発明の効果】
【０００７】
本発明によれば、給気により取り込まれた空気が、空気熱交換器と、室内の熱交換に使用された冷却または加熱された熱媒体を用いた放熱器と、で熱交換される場合に、放熱器での結露を抑制することができるという効果を奏する。
【図面の簡単な説明】
【０００８】
【図１】実施の形態にかかる換気空調システムの構成の一例を模式的に示す図
【図２】空気線図の一例を示す図
【図３】実施の形態にかかる換気空調システムに備えられる三方弁制御部のハードウェア構成の一例を示す図
【図４】実施の形態にかかる換気空調方法の手順の一例を示すフローチャート
【図５】実施の形態にかかる熱媒体の温度と三方弁の制御との間の関係の一例を示すタイムチャート
【発明を実施するための形態】
【０００９】
以下に、本発明の実施の形態にかかる換気空調システムを図面に基づいて詳細に説明する。なお、この実施の形態によりこの発明が限定されるものではない。
【００１０】
実施の形態．
図１は、実施の形態にかかる換気空調システムの構成の一例を模式的に示す図である。換気空調システム１０は、建物１内の空調を行いつつ換気を行うシステムであり、建物１に設けられる。換気空調システム１０は、熱源機１１と、第１放熱器１２と、第２放熱器１３と、を備える。
【００１１】
熱源機１１は、建物１内の冷暖房に使用される熱媒体を生成し、第１放熱器１２、または第１放熱器１２および第２放熱器１３に送出する。熱源機１１の一例は、ヒートポンプ式冷温水熱源機である。熱媒体の一例は、冷水または温水である。
【００１２】
第１放熱器１２は、熱源機１１から供給された熱媒体の冷熱または温熱を用いて建物１内の空調を行う。第２放熱器１３は、第１放熱器１２から供給された熱媒体の冷熱または温熱を用いて、後述する空気熱交換器３３を通過した給気により取り込まれた空気を冷却または加熱する。
【００１３】
熱源機１１と第１放熱器１２との間は、配管２１，２２で接続される。配管２１は、熱源機１１から第１放熱器１２へと熱媒体を流すための配管である。配管２２は、第１放熱器１２から熱源機１１へと熱媒体を流すための配管である。また、配管２２と第２放熱器１３との間は、配管２３，２４で接続される。配管２３は、第１放熱器１２から第２放熱器１３へと熱媒体を流すための配管である。配管２４は、第２放熱器１３から熱源機１１へと熱媒体を流すための配管である。
【００１４】
配管２２と配管２３との接続部には、三方弁２５が設けられる。三方弁２５は、第１放熱器１２に繋がる配管２２ａと、第２放熱器１３に繋がる配管２３と、熱源機１１に繋がる配管２２ｂと、に接続され、第１放熱器１２からの熱媒体が流れる経路を配管２２ｂおよび配管２３のうちのいずれかに切り替える弁である。配管２４は、熱源機１１と三方弁２５との間を結ぶ配管２２ｂ，２２ｃと接続される。なお、配管２２は、第１放熱器１２と三方弁２５との間を結ぶ配管２２ａ、三方弁２５と配管２４の接続部との間を結ぶ配管２２ｂ、および配管２４の接続部と熱源機１１との間を結ぶ配管２２ｃを含む。
【００１５】
図１に示されるように、換気空調システム１０では、熱源機１１から第１放熱器１２へと供給された熱媒体が、配管２２ａ，２２ｂ，２２ｃを通ってそのまま熱源機１１に戻る第１経路７１と、配管２２ａ，２３を通り、第２放熱器１３を経由して配管２４，２２ｃを通って熱源機１１に戻る第２経路７２と、がある。つまり、第１経路７１は、熱源機１１と第１放熱器１２との間で熱媒体を循環させる経路であり、第２経路７２は、熱源機１１と第１放熱器１２と第２放熱器１３との間で熱媒体を循環させる経路である。三方弁２５は、熱媒体を流す経路を、第１経路７１または第２経路７２に切り替える。
【００１６】
換気空調システム１０は、建物１の内部と外部との間の空気を入れ替える換気装置３０を備える。換気装置３０は、換気運転が開始されると、給気流Ａおよび排気流Ｂが発生する。一例では、換気装置３０は、建物１の屋根裏に設けられる。換気装置３０は、室外吸込口３１と、室内吸込口３２と、空気熱交換器３３と、室内吹出口３４と、室外吹出口３５と、を備える。
【００１７】
室外吸込口３１は、建物１の外部の空気を換気装置３０に取り入れる。室内吸込口３２は、建物１の内部の空気を換気装置３０へと取り入れる。以下では、建物１の外部の空気を屋外空気といい、建物１の内部の空気を屋内空気という。空気熱交換器３３は、室外吸込口３１からの屋外空気と、室内吸込口３２からの屋内空気とを熱交換させる。室内吹出口３４は、空気熱交換器３３を通過した屋外空気を建物１の内部へ吹出す。室外吹出口３５は、空気熱交換器３３を通過した屋内空気である排気を建物１の外部へ吹出す。室外吸込口３１、室内吸込口３２、室内吹出口３４および室外吹出口３５と空気熱交換器３３との間は、配管３６を介して接続される。
【００１８】
換気装置３０の空気熱交換器３３と室内吹出口３４との間の風路に、第２放熱器１３が配置される。
【００１９】
換気装置３０が運転を開始すると、給気流Ａおよび排気流Ｂが発生する。すなわち、室外吸込口３１から吸い込まれた屋外空気は、空気熱交換器３３で熱交換され、第２放熱器１３を通過して、室内吹出口３４から建物１の内部へと供給される給気流Ａとなる。また、室内吸込口３２から吸い込まれた屋内空気は、空気熱交換器３３で熱交換され、室外吹出口３５から排気される排気流Ｂとなる。
【００２０】
換気空調システム１０は、露点温度検知部４１と、第２放熱器入口温度検知部４２と、三方弁入口温度検知部４３と、運転状態検知部４４と、三方弁制御部４５と、を備える。
【００２１】
露点温度検知部４１は、空気熱交換器３３を通過した後の給気流Ａの空気の露点温度を検知する。一例では、露点温度検知部４１は、空気熱交換器３３と第２放熱器１３との間の風路に設けられる。図２は、空気線図の一例を示す図である。図２で、横軸は乾球温度を示し、縦軸は絶対湿度を示している。露点温度Ｔ２は、空気熱交換器３３を通過した後の給気流Ａを温湿度状態Ｃから冷却し、相対湿度が１００％となる温湿度状態Ｄにおける乾球温度である。温湿度状態Ｃは、乾球温度がＴ１であり、相対湿度はＥ％である。露点温度検知部４１の一例は、冷却式露点計または静電容量式露点計が用いられる。
【００２２】
第２放熱器入口温度検知部４２は、第２経路７２上で第２放熱器１３の入口の温度を検知する。第２放熱器入口温度検知部４２は、第２経路７２内の第２放熱器１３よりも上流側に設けられる。三方弁入口温度検知部４３は、三方弁２５の入口の温度を検知する。三方弁入口温度検知部４３は、第１経路７１および第２経路７２を構成する配管２２ａに設けられる。第２放熱器入口温度検知部４２および三方弁入口温度検知部４３の一例は、サーミスタまたはバイメタル式温度計である。
【００２３】
運転状態検知部４４は、換気装置３０の運転状態を検知する。一例として、運転状態検知部４４は、換気装置３０が通電されている状態にある場合には、運転状態にあると検知し、換気装置３０が通電されていない状態にある場合には、運転状態にないとする。換気装置３０の運転状態の検知結果は、三方弁制御部４５からの要求によって三方弁制御部４５に出力される。
【００２４】
三方弁制御部４５は、露点温度検知部４１と第２放熱器入口温度検知部４２と三方弁入口温度検知部４３とによって検知された温度に応じて、第２放熱器１３で結露が生じないように三方弁２５の切り替えを制御する。具体的には、三方弁制御部４５は、第２放熱器入口温度検知部４２によって検知された第２放熱器入口温度が露点温度検知部４１によって検知された露点温度以下のときには、第２放熱器１３への通水を遮断し、熱媒体に第１経路７１を循環させるように三方弁２５を切り替える。また、三方弁制御部４５は、三方弁入口温度検知部４３によって検知された三方弁入口温度が露点温度検知部４１によって検知された露点温度よりも高いときには、第２放熱器１３への通水を開始し、第２経路７２を循環させるように三方弁２５を切り替える。
【００２５】
三方弁制御部４５は、処理回路として実現される。処理回路は専用のハードウェアであってもよいし、プロセッサを備える回路であってもよい。図３は、実施の形態にかかる換気空調システムに備えられる三方弁制御部のハードウェア構成の一例を示す図である。三方弁制御部４５は、プロセッサ４５１と、メモリ４５２と、を有する。プロセッサ４５１とメモリ４５２とは、バスライン４５３を介して接続される。三方弁制御部４５は、メモリ４５２に記憶されたプログラムをプロセッサ４５１が実行することによって実現される。また、複数のプロセッサおよび複数のメモリが連携して上記機能を実現してもよい。また、三方弁制御部４５の機能のうちの一部を専用のハードウェアである電子回路として実装し、他の部分をプロセッサ４５１およびメモリ４５２を用いて実現するようにしてもよい。
【００２６】
つぎに、このような構成の換気空調システム１０の動作を説明する。図４は、実施の形態にかかる換気空調方法の手順の一例を示すフローチャートである。
【００２７】
まず、換気空調システム１０の図示しない運転切替スイッチがユーザによって操作されることによって、熱源機１１の運転が開始される（ステップＳ１１）。これによって、第１放熱器１２に冷水または温水である熱媒体が供給されるため、建物１内が空調される。
【００２８】
熱源機１１の運転が開始されると、三方弁制御部４５によって第２経路７２が閉となり、第１経路７１が開となるように三方弁２５が切り替えられる（ステップＳ１２）。ついで、換気装置３０の運転状態検知部４４によって換気装置３０が運転中であるかが判定される（ステップＳ１３）。換気装置３０が運転中ではない場合（ステップＳ１３でＮｏの場合）には、ステップＳ１２へと処理が戻る。このとき、ステップＳ１２で、第２経路７２が閉となり、第１経路７１が開となるように三方弁２５が既に切り替えられている場合には、その状態が維持される。すなわち、熱源機１１で生成された熱媒体は第１経路７１の循環を続ける。なお、換気装置３０が運転中ではない場合は、換気装置３０が停止している場合、あるいは換気装置３０が運転中であったが、停止した場合である。
【００２９】
換気装置３０が運転中である場合（ステップＳ１３でＹｅｓの場合）には、三方弁制御部４５は、三方弁入口温度検知部４３から三方弁入口温度を取得する（ステップＳ１４）。また、三方弁制御部４５は、露点温度検知部４１から露点温度を取得する（ステップＳ１５）。上記したように、露点温度Ｔ２は、空気熱交換器３３を通過した後の乾球温度がＴ１であり、相対湿度がＥ％である給気流Ａを冷却して相対湿度を１００％とした場合の乾球温度である。ついで、三方弁制御部４５は、三方弁入口温度が露点温度よりも高いかを判定する（ステップＳ１６）。
【００３０】
三方弁入口温度が露点温度以下である場合（ステップＳ１６でＮｏの場合）には、ステップＳ１２へと処理が戻り、熱源機１１で生成された熱媒体は第１経路７１の循環を続ける。一方、三方弁入口温度が露点温度よりも高い場合（ステップＳ１６でＹｅｓの場合）には、三方弁制御部４５によって第２経路７２が開となり、第１経路７１が閉となるように三方弁２５が切り替えられる（ステップＳ１７）。これによって、熱源機１１で生成された熱媒体が第２放熱器１３を経由することで、室外吸込口３１からの給気流Ａは、さらに冷却または加熱され、建物１の内部の温度に近づけて建物１内へ吹き出される。その結果、換気による空調負荷の増加を抑制することができる。
【００３１】
その後、三方弁制御部４５は、第２放熱器入口温度検知部４２から第２放熱器入口温度を取得する（ステップＳ１８）。また、三方弁制御部４５は、露点温度検知部４１から露点温度を取得する（ステップＳ１９）。ついで、三方弁制御部４５は、第２放熱器入口温度が露点温度以下であるかを判定する（ステップＳ２０）。
【００３２】
第２放熱器入口温度が露点温度よりも高い場合（ステップＳ２０でＮｏの場合）には、第２放熱器入口温度が露点温度より小さくなるまで待ち状態となる。第２放熱器入口温度が露点温度以下の場合（ステップＳ２０でＹｅｓの場合）には、ステップＳ１２へと処理が戻る。すなわち、三方弁制御部４５は、第２経路７２が閉となり、第１経路７１が開となるように、三方弁２５を切り替える。これによって、熱源機１１で生成された熱媒体は第１経路７１を循環する。また、第２放熱器入口温度が露点温度以下である場合に、熱媒体を第２経路７２に循環させると、第２放熱器１３で結露が生じてしまう。しかし、本実施の形態では、露点温度以下の熱媒体を第２放熱器１３に流さないようにして、第２放熱器１３の温度が給気流Ａの露点温度以下に低下しないようにしているため、結露が防止される。そして、ステップＳ１２からステップＳ２０までの処理が繰り返し実行されることになる。
【００３３】
つぎに、換気空調システム１０における三方弁２５の制御例について説明する。図５は、実施の形態にかかる熱媒体の温度と三方弁の制御との間の関係の一例を示すタイムチャートである。ここでは、第２放熱器入口温度Ｔｒの時間変化の一例を示す曲線と、三方弁入口温度Ｔｔの時間変化の一例を示す曲線と、時間に対する三方弁２５の切り替え状態の一例を示すタイムチャートＴｓと、を示している。図５で、横軸は時間を示している。また、第２放熱器入口温度Ｔｒおよび三方弁入口温度Ｔｔの時間変化を示すグラフにおいては、縦軸は乾球温度を示している。三方弁２５の切り替え状態を示すタイムチャートＴｓにおいては、縦軸は、三方弁２５が第１経路７１および第２経路７２のいずれかを選択しているかを示している。
【００３４】
時刻ｔ０で、熱源機１１の運転が開始されたものとする。時刻ｔ０の後、三方弁制御部４５は、図４のステップＳ１２に示されるように熱媒体が第１経路７１を流れるように、三方弁２５を切り替える。
【００３５】
その後、換気装置３０が運転中であるものとする。図４のステップＳ１６に示されるように、時刻ｔ１で、三方弁入口温度Ｔｔが露点温度Ｔ２よりも大きいかが判定されるものとする。時刻ｔ１では、三方弁入口温度Ｔｔは露点温度Ｔ２よりも高くなっているので、三方弁制御部４５は、タイムチャートＴｓに示されるように、第１経路７１が閉となり、第２経路７２が開となるように三方弁２５を切り替える。
【００３６】
熱媒体の経路が第２経路７２に切り替わると、図４のステップＳ２０に示されるように、三方弁制御部４５は、第２放熱器入口温度Ｔｒが露点温度Ｔ２以下であるかが判定される。図５に示されるように、時刻ｔ２までは第２放熱器入口温度Ｔｒが露点温度Ｔ２よりも大きいので、第２経路７２の状態が維持されるが、時刻ｔ２で、第２放熱器入口温度Ｔｒが露点温度Ｔ２以下となる。その結果、時刻ｔ２では、三方弁制御部４５は、タイムチャートＴｓに示されるように、第１経路７１が開となり、第２経路７２が閉となるように、三方弁２５を切り替える。これによって、第２放熱器１３の温度が給気流Ａの露点温度Ｔ２以下に低下しないため、結露を防止できる。
【００３７】
第１経路７１に切り替わると、図４のステップＳ１６に示されるように、三方弁制御部４５は、三方弁入口温度Ｔｔが露点温度Ｔ２よりも大きいかを判定する。図５に示されるように、時刻ｔ３までは三方弁入口温度Ｔｔが露点温度以下であるので、第１経路７１の状態が維持されるが、時刻ｔ３で三方弁入口温度Ｔｔが露点温度Ｔ２よりも大きくなる。その結果、時刻ｔ３では、三方弁制御部４５は、タイムチャートＴｓに示されるように、熱媒体が第２経路７２を流れるように、三方弁２５を切り替える。これによって、第２放熱器１３で結露することなく、熱源機１１で生成された熱媒体を用いて室外吸込口３１からの給気流Ａが冷却または加熱され、室温に近づけて建物１内へと吹き出される。
【００３８】
その後も同様の処理が行われる。すなわち、時刻ｔ４までは第２経路７２の状態が維持されるが、時刻ｔ４で第２放熱器入口温度Ｔｒが露点温度Ｔ２以下となるので、第１経路７１へと切り替えられる。その後、時刻ｔ５までは第１経路７１の状態が維持されるが、時刻ｔ５で三方弁入口温度Ｔｔが露点温度Ｔ２よりも大きくなるので第２経路７２へと切り替えられる。
【００３９】
なお、図１では、熱源機１１に対して第１放熱器１２、第２放熱器１３および換気装置３０がそれぞれ１台設けられる場合を示したが、実施の形態がこれに限定されるものではない。換気空調システム１０としては、１台の熱源機１１に対して、それぞれ少なくとも１台以上設けられていればよい。また、第１放熱器１２、第２放熱器１３および換気装置３０が複数台設けられる場合には、第１経路７１および第２経路７２は複数、且つ並列に接続されてもよい。
【００４０】
実施の形態では、熱源機１１から第１放熱器１２へと供給された熱媒体が、配管２２ａ，２２ｂ，２２ｃを通ってそのまま熱源機１１に戻る第１経路７１と、配管２２ａ，２３を通り、第２放熱器１３を経由して配管２４，２２ｃを通って熱源機１１に戻る第２経路７２と、を切り替える三方弁２５を設けた。三方弁制御部４５は、熱媒体が第１経路７１を流れている場合で、三方弁入口温度が露点温度よりも高い場合に、熱媒体が第２経路７２を流れるように三方弁２５を切り替える。また、三方弁制御部４５は、熱媒体が第２経路７２を流れている場合で、第２放熱器入口温度が露点温度以下となる場合に、熱媒体が第１経路７１を流れるように三方弁２５を切り替える。これによって、換気装置３０が運転状態にある場合で、第２放熱器１３へと熱媒体を流す場合に、第２放熱器１３での結露の発生を抑制することができるという効果を有する。また、第２放熱器１３に熱媒体を流している場合には、室外吸込口３１からの給気流Ａが熱媒体によって冷却または加熱される。その結果、建物１の屋内温度に近づけた給気流Ａを建物１内へと吹き出すことができ、換気による空調負荷の増加を抑制することができる。
【００４１】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００４２】
１  建物、１０  換気空調システム、１１  熱源機、１２  第１放熱器、１３  第２放熱器、２１，２２，２２ａ，２２ｂ，２２ｃ，２３，２４，３６  配管、２５  三方弁、３０  換気装置、３１  室外吸込口、３２  室内吸込口、３３  空気熱交換器、３４  室内吹出口、３５  室外吹出口、４１  露点温度検知部、４２  第２放熱器入口温度検知部、４３  三方弁入口温度検知部、４４  運転状態検知部、４５  三方弁制御部、７１  第１経路、７２  第２経路。
【図１】
2020193786.tif 000003
【図２】
2020193786.tif 000004
【図３】
2020193786.tif 000005
【図４】
2020193786.tif 000006
【図５】
2020193786.tif 000007